(57)【要約】【課題】プリント基板の発光素子からの光が隣接する表示窓へ光漏れしないこと。【解決手段】操作表示部５１は、上面側に設けられた表示ケース３と、下面側に設けられたコントローラカバー８と、コントローラカバー８内に収納された制御装置１２と、透明または半透明材料から成りコースや操作表示等に関する内容が表面または裏面に印刷され表示ケース３の表面に貼付されたパネルシート６とからなり、制御装置１２は、電子部品を搭載したプリント基板１とを備え、表示ケース３は、発光素子２に対応して表示窓４を形成して、表示窓４の外周部から延設され発光素子２のそれぞれを上方から囲むように遮光リブ５を形成し、プリント基板１は、遮光リブ５の対面の位置および内側の領域で、部品部分を除く全面に明度の低い暗色の黒印刷部１３を印刷したことにより、発光素子２からの光が隣接する表示窓４へ光漏れすることを防止し、視認性を高めることができる。【選択図】図２
2015206807.tif 000002
【特許請求の範囲】
【請求項１】
各種の入力設定を行うとともに設定内容を表示する操作表示部を有し、前記操作表示部は、上面側に設けられた表示ケースと、下面側に設けられたコントローラカバーと、前記表示ケースと前記コントローラカバーの間に位置し前記コントローラカバー内に収納された制御装置と、透明または半透明材料から成りコースや操作表示等に関する内容が表面または裏面に印刷され前記表示ケースの表面に貼付されたパネルシートとからなり、前記制御装置は、入力設定を行うための複数のタクトスイッチと、設定内容や進行状況などを表示するための発光ダイオードからなる複数の発光素子と、これらの電子部品を搭載したプリント基板とを備え、前記表示ケースは、前記発光素子のそれぞれに対応して複数の表示窓を形成するとともに、前記表示窓の外周部から延設され前記発光素子のそれぞれを上方から囲むように遮光リブを形成し、前記プリント基板は、少なくとも前記遮光リブの対面の位置および内側の領域で、前記発光素子取付け側表面の部品部分を除く全面に明度の低い暗色の黒印刷部を印刷した表示装置。
【請求項２】
各種の入力設定を行うとともに設定内容を表示する操作表示部を有し、前記操作表示部は、上面側に設けられた表示ケースと、下面側に設けられたコントローラカバーと、前記表示ケースと前記コントローラカバーの間に位置し前記コントローラカバー内に収納された制御装置と、透明または半透明材料から成りコースや操作表示等に関する内容が表面または裏面に印刷され前記表示ケースの表面に貼付されたパネルシートとからなり、前記制御装置は、入力設定を行うための複数のタクトスイッチと、設定内容や進行状況などを表示するための発光ダイオードからなる複数の発光素子と、これらの電子部品を搭載したプリント基板とを備え、前記表示ケースは、前記発光素子のそれぞれに対応して複数の表示窓を形成するとともに、前記表示窓の外周部から延設され前記発光素子のそれぞれを上方から囲むように遮光リブを形成し、前記プリント基板は、前記遮光リブに対面する位置のみに明度の低い暗色の黒印刷部を印刷した表示装置。
【発明の詳細な説明】
【技術分野】
【０００１】
本発明は、表示窓を有する表示装置に関するものである。
【背景技術】
【０００２】
従来、この種の表示窓を有する表示装置は、本体前部に運転コースの設定や設定した内容などを表示する操作表示部を有しており、その表示部に使用する発光ＬＥＤの光が当該個所以外から漏れてくるのを防止する構成が提案されている（例えば、特許文献１参照）。
【０００３】
図６は、特許文献１に記載された従来の表示装置の部分拡大断面図である。
【０００４】
図６において、プリント基板７１の表面に複数の発光ＬＥＤ７２が実装されている。プリント基板７１を収納するケース７３には、各発光ＬＥＤ７２に対応する位置にそれぞれ表示窓７４が形成されており、また、ケース７３には、この表示窓７４と隣の表示窓７４との間の位置に、プリント基板７１側に向けて遮光リブ７５が形成されている。
【０００５】
遮光リブ７５は、その高さが一方の表示窓７４から隣接する他方の発光ＬＥＤ７２が見えない程度に設定されている。表面側に設けられた透明または半透明材料から成るパネル７６は、両面接着テープ７７を介してケース７３に接着されている。また、遮光リブ７５の下端部に対応するプリント基板７１の位置には、透光スリット７８が設けられており、遮光リブ７５の厚みと同様な幅を有し、遮光リブ７５の長手方向の長さと同様な長さを有する長方形状に形成されている。
【０００６】
以上の構成にて、使用者がスイッチ操作をすると、そのスイッチに関連する特定の発光ＬＥＤ７２が発光して、その光は表示窓７４を通して視認され、その機器における特定の機能が実行されていることを使用者に知らせることができる。
【０００７】
そして、発光している表示窓７４に隣接する表示窓７４に光が漏れないように、発光しているＬＥＤ７２の光を遮光リブ７５で遮っているが、ＬＥＤ７２からの一部の光は、ケース７３の裏面に反射してプリント基板７１に向かう。この時、その光の向かう先には透光スリット７８が形成されているので、この透光スリット７８によってプリント基板７１での拡散が防止される。
【先行技術文献】
【特許文献】
【０００８】
【特許文献１】特開平１１−１５３９７０号公報
【発明の概要】
【発明が解決しようとする課題】
【０００９】
しかしながら、前記従来の構成では、発光ＬＥＤの発光強度が高い場合、ケースの裏面で反射した発光ＬＥＤの光は、さらにガラスエポキシ樹脂等の半透明材料によって形成されたプリント基板の透光スリット周辺でも乱反射して周辺に拡散するので、これが隣の表示窓からぼんやりと光って見えることがある。これにより、使用者が、隣の発光ＬＥＤが発光したものと誤認したり、発光ＬＥＤからの光がケース外側に漏れたりして、商品として見栄えが悪く、品位を落としかねないという課題があった。
【００１０】
また、透光スリットを大きく、あるいは数多く設けると、高密度の集積回路構成が難し
く、強度も著しく低下してしまうという課題もあった。
【００１１】
本発明は、前記従来の課題を解決するもので、表示窓が密集していても、発光素子からの光が、乱反射により隣接する表示窓へ光漏れすることを防止し、視認性を高めた表示装置を提供することを目的としている。
【課題を解決するための手段】
【００１２】
前記従来の課題を解決するために、本発明の表示装置は、各種の入力設定を行うとともに設定内容を表示する操作表示部を有し、前記操作表示部は、上面側に設けられた表示ケースと、下面側に設けられたコントローラカバーと、前記表示ケースと前記コントローラカバーの間に位置し前記コントローラカバー内に収納された制御装置と、透明または半透明材料から成りコースや操作表示等に関する内容が表面または裏面に印刷され前記表示ケースの表面に貼付されたパネルシートとからなり、前記制御装置は、入力設定を行うための複数のタクトスイッチと、設定内容や進行状況などを表示するための発光ダイオードからなる複数の発光素子と、これらの電子部品を搭載したプリント基板とを備え、前記表示ケースは、前記発光素子のそれぞれに対応して複数の表示窓を形成するとともに、前記表示窓の外周部から延設され前記発光素子のそれぞれを上方から囲むように遮光リブを形成し、前記プリント基板は、少なくとも前記遮光リブの対面の位置および内側の領域で、前記発光素子取付け側表面の部品部分を除く全面に明度の低い暗色の黒印刷部を印刷した構成としたものである。
【００１３】
これによって、表示窓が密集して多くの発光素子を有していても、発光素子からの光が、乱反射により隣接する表示窓へ光漏れすることを防止し、視認性を高めることができる。
【発明の効果】
【００１４】
本発明の表示装置は、制御装置のプリント基板の発光素子取付け側表面に明度の低い暗色で印刷を施すことで、コストをかけずに簡易な手段で光漏れを防ぎ、視認性を高めることができる。
【図面の簡単な説明】
【００１５】
【図１】本発明の実施の形態１における洗濯機の縦断面図
【図２】同洗濯機の制御装置を含む操作表示部の縦断面図
【図３】同洗濯機の制御装置を含む操作表示部の部分平面図
【図４】本発明の実施の形態２における洗濯機の制御装置を含む操作表示部の縦断面図
【図５】同洗濯機の制御装置を含む操作表示部の部分平面図
【図６】従来の洗濯機の表示装置の部分拡大断面図
【発明を実施するための形態】
【００１６】
第１の発明は、各種の入力設定を行うとともに設定内容を表示する操作表示部を有し、前記操作表示部は、上面側に設けられた表示ケースと、下面側に設けられたコントローラカバーと、前記表示ケースと前記コントローラカバーの間に位置し前記コントローラカバー内に収納された制御装置と、透明または半透明材料から成りコースや操作表示等に関する内容が表面または裏面に印刷され前記表示ケースの表面に貼付されたパネルシートとからなり、前記制御装置は、入力設定を行うための複数のタクトスイッチと、設定内容や進行状況などを表示するための発光ダイオードからなる複数の発光素子と、これらの電子部品を搭載したプリント基板とを備え、前記表示ケースは、前記発光素子のそれぞれに対応して複数の表示窓を形成するとともに、前記表示窓の外周部から延設され前記発光素子のそれぞれを上方から囲むように遮光リブを形成し、前記プリント基板は、少なくとも前記
遮光リブの対面の位置および内側の領域で、前記発光素子取付け側表面の部品部分を除く全面に明度の低い暗色の黒印刷部を印刷した構成とすることにより、表示窓が密集して多くの発光素子を有していても、発光素子からの光が、乱反射により隣接する表示窓へ光漏れすることを防止し、視認性を高めることができる。
【００１７】
第２の発明は、各種の入力設定を行うとともに設定内容を表示する操作表示部を有し、前記操作表示部は、上面側に設けられた表示ケースと、下面側に設けられたコントローラカバーと、前記表示ケースと前記コントローラカバーの間に位置し前記コントローラカバー内に収納された制御装置と、透明または半透明材料から成りコースや操作表示等に関する内容が表面または裏面に印刷され前記表示ケースの表面に貼付されたパネルシートとからなり、前記制御装置は、入力設定を行うための複数のタクトスイッチと、設定内容や進行状況などを表示するための発光ダイオードからなる複数の発光素子と、これらの電子部品を搭載したプリント基板とを備え、前記表示ケースは、前記発光素子のそれぞれに対応して複数の表示窓を形成するとともに、前記表示窓の外周部から延設され前記発光素子のそれぞれを上方から囲むように遮光リブを形成し、前記プリント基板は、前記遮光リブに対面する位置のみに明度の低い暗色の黒印刷部を印刷した構成とすることにより、最少の領域の印刷だけですむため、コストを抑え、かつ、発光素子からの光が隣接する表示窓への光漏れを防止するとともに、発光する表示窓の明るさが増し、視認性をより高めることができる。
【００１８】
以下、本発明の実施の形態について、図面を参照しながら説明する。また、この実施の形態によって本発明が限定されるものではない。
【００１９】
（実施の形態１）
図１は、本発明の実施の形態１における洗濯機の縦断面図である。
【００２０】
図１において、筐体４１は，内部に複数のサスペンション４２によって外槽４３を懸垂防振支持している。洗濯・脱水軸４４は中空で２軸構造としている。洗濯兼脱水槽４５は側壁に多数の脱水孔（図示せず）を有するとともに、内周の上部に振動低減用の流体バランサ４６を有し、中央底部には衣類攪拌用のパルセータ４７が配設されている。
【００２１】
筐体４１の上部には、上部枠体４０を設け、上部枠体４０の前部には、各種の入力設定を行い、設定内容を表示する操作表示部５１を配設している。そして、操作表示部５１の内方には、モータ４９等を制御し、洗い，すすぎ，脱水の一連の行程を逐次制御する制御手段（図示せず）を有する制御装置１２が収設されている。
【００２２】
伝達機構部４８は、内部に洗濯時の減速ギア（図示せず）を内蔵している。制御装置１２によりインバータ駆動させるモータ４９は外槽４３の外底部に取り付けられ，伝達機構部４８を介し，パルセータ４７，及び洗濯兼脱水槽４５を回転させる。
【００２３】
図２は、本発明の実施の形態１における洗濯機の制御装置を含む操作表示部の縦断面図、図３は、同洗濯機の制御装置を含む操作表示部の部分平面図である。
【００２４】
図２、図３において、操作表示部５１の内方に設けられた制御装置１２は、表示ケース３に固定されコントローラカバー８内に収納されている。
【００２５】
制御装置１２のプリント基板１には、入力設定を行うための複数のタクトスイッチ１１や設定内容や進行状況などを表示するための発光ダイオードからなる複数の発光素子２などの電子部品が搭載されている。これらの複数のタクトスイッチ１１で操作部１０を、複数の発光素子２で表示部９を構成している。
【００２６】
また、プリント基板１の発光素子２を取り付けている側の表面には、部品部を除く全面に明度の低い暗色である黒印刷部１３がシルク印刷されている。
【００２７】
表示ケース３の上面部には、発光素子２に対応して形成された複数の表示窓４が開口して形成されており、上方から発光素子２の点灯、点滅を視認することができるとともに、プリント基板１側には、表示窓４の外周部から延設され、発光素子２の一つ一つを上方から囲むように遮光リブ５が形成されている。
【００２８】
そして、表示ケース３の表面に設けられたパネルシート６は、透明または半透明材料であり、その表面あるいは裏面には、コースや操作表示等に関する内容を印刷し、裏面側に接着剤を塗布して表示ケース３に貼り付けられている。
【００２９】
以上のように構成した洗濯機について、以下、その動作、作用を説明する。
【００３０】
使用者が操作表示部５１から運転コース選択や水位設定などのスイッチ操作を行うと、そのスイッチに関連した特定の発光素子２が発光することにより、その光が表示窓４を通して使用者に視認され、洗濯機における特定の機能が実行されていることを知らせる。
【００３１】
この時、発光している表示窓４に隣接する表示窓４に光が漏れないように、発光している発光素子２の光の大部分は遮光リブ５によって遮られるが、発光素子２からの一部の光は、表示ケース３の裏面に反射してプリント基板１に向かう。
【００３２】
しかし、プリント基板１の表面には明度の低い暗色でシルク印刷した黒印刷部１３が形成されているので、プリント基板１表面で光が拡散するのを防止することができる。
【００３３】
したがって、隣接する表示窓４がぼんやり光って見えることがなく、隣接する表示窓４が発光したものと誤認したり、発光素子２からの光が表示ケース３の外側に漏れたりすることはない。
【００３４】
以上のように、本実施の形態１においては、表示ケース３は、発光素子２に対応して複数の表示窓４を形成するとともに、表示窓４の外周部から延設され、それぞれの発光素子２を上方から囲むように遮光リブ５を形成し、プリント基板１は、発光素子２取付け側表面の部品部分を除く全面に明度の低い暗色の黒印刷部１３を印刷する構成とすることにより、表示部が密集して多くの発光素子２を有していても、発光素子２からの光が、乱反射により隣接する表示窓４へ光漏れすることを防止し、視認性を高めることができる。
【００３５】
なお、本実施の形態１では、プリント基板１は、発光素子２取付け側表面の部品部分を除く全面に明度の低い暗色の黒印刷部１３を印刷する構成としたが、少なくとも前記遮光リブの対面の位置および内側の領域に明度の低い暗色の黒印刷部１３を印刷すれば、同等の効果を得ることができる。
【００３６】
また、本実施の形態では、洗濯機を例にして説明したが、同様な構成は、他のドラム式などの洗濯機や電化機器などの用途に適用できる。
【００３７】
（実施の形態２）
図４は、本発明の実施の形態２における洗濯機の制御装置を含む操作表示部の縦断面図、図５は、同洗濯機の制御装置を含む操作表示部の部分平面図である。
【００３８】
本実施の形態２は、プリント基板表面のシルク印刷部以外の構成は、上記実施の形態１
と同じであり、実施の形態１と同一形状、部位については、同一符号を付して、詳細な説明は省略する。
【００３９】
図４、図５において、制御装置２２のプリント基板２１の表面には、明度の低い暗色である黒印刷部２３がシルク印刷されており、その黒印刷部２３は発光素子２の一つ一つを上方から囲むように形成された表示ケース３の遮光リブ５に対面した部位のみに印刷されている。
【００４０】
以上のように構成した洗濯機について、以下、その動作、作用を説明する。
【００４１】
使用者が操作表示部５１から運転コース選択や水位設定などのスイッチ操作を行うと、そのスイッチに関連した特定の発光素子２が発光することにより、その光が表示窓４を通して使用者に視認され、洗濯機における特定の機能が実行されていることを知らせる。
【００４２】
この時、発光している表示窓４に隣接する表示窓４に光が漏れないように、発光している発光素子２の光の大部分は遮光リブ５によって遮られるが、発光素子２からの一部の光は、表示ケース３に反射してプリント基板２１に向かう。
【００４３】
しかし、プリント基板１には、遮光リブ５に対向する部位に、明度の低い暗色でシルク印刷した黒印刷部２３が形成されているので、隣接部位に向かって反射する光の拡散を防止することができる。さらに、黒印刷部２３以外の暗色でシルク印刷されていない部位においては、プリント基板１の表面で反射した光が再び表示窓４に向かうことで、表示窓４の明るさが増し、視認性をより高めることができる。
【００４４】
以上のように、本実施の形態２においては、表示ケース３は、発光素子２に対応して複数の表示窓４を形成するとともに、表示窓４の外周部から延設され、それぞれの発光素子２を上方から囲むように遮光リブ５を形成し、プリント基板２１は、遮光リブ５に対面する位置のみに明度の低い暗色の黒印刷部２３を印刷する構成とすることにより、最少の領域の印刷だけですむため、コストを抑え、かつ、発光素子２からの光が隣接する表示窓４への光漏れを防止するとともに、発光する表示窓４の明るさが増し、視認性をより高めることができる。
【産業上の利用可能性】
【００４５】
以上のように、本発明にかかる表示装置は、制御装置のプリント基板の発光素子取付け側表面に明度の低い暗色で印刷を施すことで、コストをかけずに簡易な手段で光漏れを防ぐことが可能となるので、他のドラム式などの洗濯機や電化機器などの用途に適用できる。
【符号の説明】
【００４６】
１  プリント基板
２  発光素子
３  表示ケース
４  表示窓
５  遮光リブ
６  パネルシート
８  コントローラカバー
１１  タクトスイッチ
１２  制御装置
１３  黒印刷部
２１  プリント基板
２２  制御装置
２３  黒印刷部
４０  上部枠体
４１  筐体
４３  外槽
４５  洗濯兼脱水槽
４７  パルセータ
４９  モータ
５１  操作表示部
【図１】
2015206807.tif 000003
【図２】
2015206807.tif 000004
【図３】
2015206807.tif 000005
【図４】
2015206807.tif 000006
【図５】
2015206807.tif 000007
【図６】
2015206807.tif 000008